(57)【要約】【課題】本考案は、製造コストを下げ、製造時間を短くするとともに、製品の歩留まりを向上させることが可能な、一体化構造を備える除湿機を提供する。【解決手段】水受盤を形成する通風口モジュールと、前記通風口モジュールと結合される前部ケースと、前記前部ケースに結合される後部ケースとからなる。前記水受盤は、コンデンサ及び蒸発器を結合固定させる。前記前部ケースには板体が結合され、前記板体には、前記コンデンサ及び前記蒸発器と連結されて作動する圧縮機が設けられる。前記後部ケースには、駆動モジュール及び前記駆動モジュールに連結されて作動するスイッチが設けられる。前記駆動モジュールは、駆動モーター及び前記駆動モーターに連結されて作動する少なくとも一つのファンを備える。【選択図】図３
0003176857.tif 000002
【実用新案登録請求の範囲】
【請求項１】
通風口モジュールと、前記通風口モジュールに形成される少なくとも一つの水受盤と、前記通風口モジュールに結合される前部ケースと、前記前部ケースと結合される後部ケースとからなる一体化構造を備える除湿機であって、
前記水受盤は、コンデンサ及び蒸発器を結合固定し、
前記通風口モジュールと前記コンデンサ及び前記蒸発器は、前記後部ケース及び前記前部ケースに被覆されることを特徴とする、一体化構造を備える除湿機。
【請求項２】
前記前部ケースには、板体が結合され、前記板体には、前記コンデンサ及び前記蒸発器に連結されて作動する圧縮機が設けられ、前記後部ケースには、駆動モジュールが結合され、前記駆動モジュールには、駆動モーター、及び、前記駆動モーターに連結されて作動する少なくとも一つのファンが設けられ、前記駆動モジュールは、スイッチと連結されて作動し、前記スイッチは、つまみに連結されて作動し、前記後部ケース及び前記前部ケース内には、少なくとも一つの貯水タンクが置かれ、前記後部ケース及び前記前部ケースには、少なくとも一つの通風口が形成されることを特徴とする、請求項１に記載の一体化構造を備える除湿機。
【考案の詳細な説明】
【技術分野】
【０００１】
本考案は除湿機に関し、特に製造コストを下げ、製造過程を簡単にすることが可能な、一体化構造を備える除湿機に関する。
【背景技術】
【０００２】
空気が湿気を帯びていると生活が不便になるため、空気の湿気は重要である。
【０００３】
一般の市場でみられる除湿機は、製造する際に、従来の重ねる方式を用いて、各独立部材をそれぞれ取り付ける。また、一歩進んだ除湿機の製造方法では、フレームを一から二本に独立させるとともに、全ての独立した部材（例えば、コンデンサ、蒸発器等）をそれぞれ螺合した後、さらに、ケースに取り付ける。
【０００４】
しかしながら、上述した製造方法は、人を使用する上での時間の制御や歩留まりの制御をうまくおこなうことができないため、製造コストを制御することができない。
【考案の概要】
【考案が解決しようとする課題】
【０００５】
そこで、本考案は、通風口モジュール上の水受盤と、後部ケース及び前部ケースの結合設計により、製造コストを下げ、製造時間を短くするとともに、製品の歩留まりを向上させることが可能な、一体化構造を備える除湿機を提供することを目的とする。
【課題を解決するための手段】
【０００６】
上述の目的を達成するために、本考案による一体化構造を備える除湿機は、水受盤を形成する通風口モジュールと、前記通風口モジュールと結合される前部ケースと、前記前部ケースに結合される後部ケースとからなる。前記水受盤は、コンデンサ及び蒸発器を結合固定させる。
【０００７】
前記前部ケースには板体が結合され、前記板体には、前記コンデンサ及び前記蒸発器と連結されて作動する圧縮機が設けられる。前記後部ケースには、駆動モジュール及び前記駆動モジュールに連結されて作動するスイッチが設けられる。前記駆動モジュールは、駆動モーター及び前記駆動モーターに連結されて作動する少なくとも一つのファンを備える。
【考案の効果】
【０００８】
上述の構造と組み合わせによる除湿機を組み立てる時は、まず、管路を溶接したコンデンサ及び蒸発器を通風口モジュールの水受盤に取り付け、さらに、通風口モジュールを前部ケースに固定結合し、圧縮機を前部ケース上に取り付け、最後に、前部ケースと後部ケースを結合固定する。以上により、製品の製造時間を短縮することができるとともに、製造歩留まりを向上させ、さらには、製作コストを下げて、製作を簡単にすることができる。
【図面の簡単な説明】
【０００９】
【図１】本考案の好ましい実施例の斜視図である。
【図２】本考案の好ましい実施例の分解図である。
【図３】本考案の好ましい実施例を示した説明図１である。
【図３Ａ】本考案の好ましい実施例を示した説明図２である。
【図４】本考案の好ましい実施例を示した説明図３である。
【図４Ａ】本考案の好ましい実施例を示した説明図４である。
【図５】本考案の好ましい実施例を示した説明図５である。
【図５Ａ】本考案の好ましい実施例を示した説明図６である。
【図６】本考案の好ましい実施例を示した説明図７である。
【図７】本考案の好ましい実施例を示した説明図８である。
【考案を実施するための形態】
【００１０】
図１と図２を参照する。図１は、本考案の好ましい実施例の斜視図であり、図２は、本考案の好ましい実施例の分解図である。図から分かるように、本考案による一体化構造を備える除湿機は、通風口モジュール１０と、通風口モジュール１０上に形成される少なくとも一つの水受盤１００と、通風口モジュール１０と相互に結合される前部ケース１３と、前部ケース１３と結合される後部ケース１６とからなる。水受盤１００は、コンデンサ１１及び蒸発器１２を結合固定する。前部ケース１３には、板体１４が結合され、板体１４には、コンデンサ１１及び蒸発器１２に連結されて作動する圧縮機１５が設けられる。通風口モジュール１０とコンデンサ１１及び蒸発器１２は、後部ケース１６及び前部ケース１３内に被覆される。後部ケース１６には、駆動モジュール１７が結合され、駆動モジュール１７は、駆動モーター１７１と、駆動モーター１７１に連結されて作動する少なくとも一つのファン１７２とを備える。駆動モジュール１７は、スイッチ１８に連結されて作動し、スイッチ１８は、つまみ１９に連結されて作動する。
【００１１】
また、後部ケース１６及び前部ケース１３内には、少なくとも一つの貯水タンク２０が置かれ、後部ケース１６及び前部ケース１３には、少なくとも一つの通風口２１が形成される。
【００１２】
上述の構造、組合せによる本考案の作動状況について以下に説明を行う。図３から図７を参照する。図３から図７は、本考案の好ましい実施例を示した説明図１から８である。図から分かるように、本考案の主な目的は、除湿機の材料コストを下げ開発周期を短くし、加工組み立ての実用性を向上させることである。本考案の除湿機を組み立てる時は、まず、管路を溶接したコンデンサ１１及び蒸発器１２を通風口モジュール１０上の水受盤１００に取り付け、さらに、コンデンサ１１及び蒸発器１２を既に取り付けた通風口モジュール１０を、前部ケース１３に螺合して固定する。上述の作業が終わったら、板体１４と圧縮機１５を前部ケース１３の底部に取り付ける。この時、圧縮機１５とコンデンサ１１及び蒸発器１２の管路を連結させる。最後に、駆動モジュール１７を取り付けた後部ケース１６と、すでに組み立てた前部ケース１３を相互に結合する。以上の手順によって、製造プロセスを短くする目的を達成することができる。そして、製造の歩留まりを向上させ、製造コストを下げることができるとともに、製造を簡単にすることができる。
【００１３】
全ての図を参照する。本考案を使用すると、従来の技術と比較して以下の利点がある。通風口モジュール１０上の水受盤１００と、後部ケース１６及び前部ケース１３の設計により、除湿機の製造過程を短縮するとともに、製品の歩留まりを向上させることができる。
【符号の説明】
【００１４】
１０    通風口モジュール
１００  水受盤
１１    コンデンサ
１２    蒸発器
１３    前部ケース
１４    板体
１５    圧縮機
１６    後部ケース
１７    駆動モジュール
１７１  駆動モーター
１７２  ファン
１８    スイッチ
１９    つまみ
２０    貯水タンク
２１    通風口  
【図１】
0003176857.tif 000003
【図２】
0003176857.tif 000004
【図３】
0003176857.tif 000005
【図３Ａ】
0003176857.tif 000006
【図４】
0003176857.tif 000007
【図４Ａ】
0003176857.tif 000008
【図５】
0003176857.tif 000009
【図５Ａ】
0003176857.tif 000010
【図６】
0003176857.tif 000011
【図７】
0003176857.tif 000012